(57)【要約】【課題】  複数の光源を有する光源装置において、装置を大型化することなく、光源の冷却を行うことができる光源装置を提供する。【解決手段】  青色ＬＥＤ２Ｂを冷却する放熱フィン１３Ｂと、赤色ＬＥＤ２Ｒを冷却する放熱フィン１３Ｒと、緑色ＬＥＤ２Ｇを冷却する放熱フィン１３Ｇと、を冷却ファン１５の送風方向に並べて配置する。光学ユニット１の上面１６と放熱フィン１３Ｒとの間に空間を設け、冷却ファン１５の冷却風が当該空間を通過するようにする。【選択図】  図５
2017045002.tif 000002
【特許請求の範囲】
【請求項１】
支持体の第１の面に配置される第１の光源と、
前記第１の光源の発生熱を受熱する第１の受熱部と
前記第１の受熱部から受熱し熱を放熱する第１の放熱部であって、前記支持体の第４の面の側に配置される第１の放熱部と、
前記支持体の第２の面に配置される第２の光源と、
前記第２の光源の発生熱を受熱する第２の受熱部と
前記第２の受熱部から受熱し熱を放熱する第２の放熱部であって、前記支持体の前記第４の面の側に配置される第２の放熱部と、
前記第２の受熱部から前記第２の放熱部へ伝熱する第２の伝熱部と、
前記第１の放熱部と前記第２の放熱部に対して送風する送風手段とを備え、
前記第１の放熱部と前記第２の放熱部は送風手段の送風方向に並べて配置され、
前記第２の放熱部と前記第４の面との間に空間を有し、前記送風手段は、前記空間に送風することを特徴とする光源装置。
【請求項２】
前記第１の放熱部は第１の放熱フィンを備え、前記第２の放熱部は第２の放熱フィンを備え、前記第１の放熱フィンの向きと、前記第２の放熱フィンの向きは前記送風方向に対して同一方向であることを特徴とする請求項１に記載の光源装置。
【請求項３】
前記第２の放熱部は、第２の放熱フィンと前記第２の放熱フィンを支持する基部とを備え、前記基部を前記第４の面に対向して所定の間隔をあけて配置することにより前記空間を形成し、
前記送風手段は、送風により前記基部と前記第４の面を冷却することを特徴とする請求項１又は２に記載の光源装置。
【請求項４】
前記第１の放熱部は、前記送風方向において前記第２の放熱部の上流に配置され、
前記第１の光源の発熱量は、前記第２の光源の発熱量よりも小さいことを特徴とする請求項１乃至３のいずれか１項に記載の光源装置。
【請求項５】
前記第１の放熱部は、前記送風方向において前記第２の放熱部の上流に配置され、
前記第１の放熱部は第１の放熱フィンを備え、前記第１の放熱フィンの端部は、前記第４の面よりも第１の受熱部に近い側にあることを特徴とする請求項１乃至４のいずれか１項に記載の光源装置。
【請求項６】
前記第１の放熱部は第１の放熱フィンを備え、前記第２の放熱部は第２の放熱フィンを備え、前記第２の放熱フィンの前記送風方向の長さは、前記第１の放熱フィンの前記送風方向の長さよりも長いことを特徴とする請求項４又は５に記載の光源装置。
【請求項７】
前記第１の光源は青色の光源であり、前記第２の光源は赤色の光源であることを特徴とする請求項４乃至６のいずれか１項に記載の光源装置。
【請求項８】
前記第１の放熱部は、前記送風方向において前記第２の放熱部の下流に配置され、
前記第１の光源の発熱量は、前記第２の光源の発熱量よりも大きいことを特徴とする請求項１乃至３のいずれか１項に記載の光源装置。
【請求項９】
前記第１の放熱部は、前記送風方向において前記第２の放熱部の下流に配置され、
前記第１の受熱部から前記第１の放熱部へ伝熱する第１の伝熱部を備え、
前記第１の伝熱部は前記第１の放熱部と前記第１の受熱部との間に隙間を有するように設けられていることを特徴とする請求項１乃至３、又は８のいずれか１項に記載の光源装置。
【請求項１０】
前記第１の放熱部は第１の放熱フィンを備え、前記第２の放熱部は第２の放熱フィンを備え、前記第２の放熱フィンの前記送風方向の長さは、前記第１の放熱フィンの前記送風方向の長さよりも短いことを特徴とする請求項８又は９に記載の光源装置。
【請求項１１】
前記第１の光源は緑色の光源であり、前記第２の光源は赤色の光源であることを特徴とする請求項８乃至１０のいずれか１項に記載の光源装置。
【請求項１２】
支持体の第１の面に配置される第１の光源と、
前記第１の光源の発生熱を受熱する第１の受熱部と
前記第１の受熱部から受熱し熱を放熱する第１の放熱部であって、前記支持体の第４の面の側に配置される第１の放熱部と、
前記支持体の第２の面に配置される第２の光源と、
前記第２の光源の発生熱を受熱する第２の受熱部と
前記第２の受熱部から受熱し熱を放熱する第２の放熱部であって、前記支持体の前記第４の面の側に配置される第２の放熱部と、
前記第２の受熱部から前記第２の放熱部へ伝熱する第２の伝熱部と、
支持体の第３の面に配置される第３の光源と、
前記第３の光源の発生熱を受熱する第３の受熱部と
前記第３の受熱部から受熱し熱を放熱する第３の放熱部であって、前記支持体の前記第４の面の側に配置される第３の放熱部と、
前記第１の放熱部と前記第２の放熱部と第３の放熱部に対して送風する送風手段と、を備え、
前記第１の放熱部と前記第２の放熱部と前記第３の放熱部は送風手段の送風方向に並べて配置され、
前記第２の放熱部と前記第４の面との間に空間を有し、前記送風手段は、前記空間に送風することを特徴とする光源装置。
【請求項１３】
前記第１の放熱部は、前記送風方向において前記第２の放熱部の上流に配置され、
前記第３の放熱部は、前記送風方向において前記第２の放熱部の下流に配置され、
前記第１の放熱部は第１の放熱フィンを備え、前記第１の放熱フィンの端部は、前記第４の面よりも第１の受熱部に近い側にあることを特徴とする請求項１２に記載の光源装置。
【請求項１４】
前記第３の受熱部から前記第３の放熱部へ伝熱する第３の伝熱部を備え、
前記第３の伝熱部は前記第３の放熱部と前記第３の受熱部との間に隙間を有するように設けられていることを特徴とする請求項１３に記載の光源装置。
【請求項１５】
前記第１の放熱部は、前記送風方向において前記第２の放熱部の上流に配置され、
前記第３の放熱部は、前記送風方向において前記第２の放熱部の下流に配置され、
前記第１の光源の発熱量は、前記第２の光源の発熱量よりも大きく、
前記第３の光源の発熱量は、前記第３の光源の発熱量よりも小さいことを特徴とする請求項１２に記載の光源装置。
【請求項１６】
前記第１の放熱部は第１の放熱フィンを備え、前記第２の放熱部は第２の放熱フィンを備え、前記第３の放熱部は第３の放熱フィンを備え、
前記第２の放熱フィンの前記送風方向の長さは、前記第１の放熱フィンの前記送風方向の長さよりも長く、
前記第３の放熱フィンの前記送風方向の長さは、前記第２の放熱フィンの前記送風方向の長さよりも長いことを特徴とする請求項１３に記載の光源装置。
【請求項１７】
前記第２の伝熱部は、ヒートパイプであることを特徴とする請求項１乃至１６のいずれか１項に記載の光源装置。
【請求項１８】
請求項１乃至１７のいずれか１項に記載の光源装置と、前記光源装置からの出射光に基づいて投射画像を作成する照明部と、前記投射画像を投影する投影部と、を備えることを特徴とする投射型表示装置。
【発明の詳細な説明】
【技術分野】
【０００１】
本発明は光源装置、及び光源装置を備える投射型表示装置に関する。
【背景技術】
【０００２】
投射型表示装置（プロジェクタ）は、赤（Ｒ）、緑（Ｇ）、青（Ｂ）用の光源（ＬＥＤ（ｌｉｇｈｔ  ｅｍｉｔｔｉｎｇ  ｄｉｏｄｅ）、レーザー又はランプ）を備えた光源装置を有している。これらの光源装置は、光源を発光させると、光源の温度上昇が発生する。
【０００３】
光源の温度が高くなりすぎると光源の寿命が短くなるおそれがある。また、光源にＬＥＤを用いた場合は、ＬＥＤの温度に対する光量特性が敏感であるため、ＬＥＤの温度が上昇するとＬＥＤの出力光量が低下する。この結果、投影画像の光量低下や色味変化が起こり、投影画像の画質が劣化するという問題があった。そのため、光源装置の冷却機構が提案されている。
【０００４】
特許文献１には、各色用の複数の光源装置を備え、各光源装置に対応する複数のファンを設けた投射型表示装置の構成が提案されている。
【０００５】
特許文献２には、各色様の複数の光源装置及び、各光源装置に対応するラジエータ（又はヒートパイプ）を備えた投射型表示装置が開示されている。そして、当該ラジエータ等を一つの冷却ファンを用いて冷却を行う投射型表示装置の構成が提案されている。
【先行技術文献】
【特許文献】
【０００６】
【特許文献１】特許第５０１０３１１号公報
【特許文献２】特開２００７−１３３３００号公報
【発明の概要】
【発明が解決しようとする課題】
【０００７】
しかしながら、特許文献１の構成では、各光源装置に対してファン及びエアフローを設けるため、ファンの個数が増加し冷却構成の大型化を招く。
【０００８】
また、特許文献２の構成では、各光源装置にラジエータが設けられており、ラジエータの場所がそれぞれ離れているため、複雑なエアフローとなり圧力損失が発生しやすく、一つの冷却ファンで効率的に冷却を行うのは困難であった。
【０００９】
本発明は上述した課題に鑑みてなされたものであり、装置を大型化することなく効率的に光源を冷却することができる光源装置を提供することを目的とする。
【課題を解決するための手段】
【００１０】
上記課題を解決するための光源装置は、支持体の第１の面に配置される第１の光源と、前記第１の光源の発生熱を受熱する第１の受熱部と、前記第１の受熱部から受熱し熱を放熱する第１の放熱部であって、前記支持体の第４の面の側に配置される第１の放熱部と、前記支持体の第２の面に配置される第２の光源と、前記第２の光源の発生熱を受熱する第２の受熱部と、前記第２の受熱部から受熱し熱を放熱する第２の放熱部であって、前記支持体の前記第４の面の側に配置される第２の放熱部と、前記第２の受熱部から前記第２の放熱部へ伝熱する第２の伝熱部と、前記第１の放熱部と前記第２の放熱部に対して送風する送風手段とを備え、前記第１の放熱部と前記第２の放熱部は送風手段の送風方向に並べて配置され、
前記第２の放熱部と前記第４の面との間に空間を有し、前記送風手段は、前記空間に送風することを特徴とする。
【発明の効果】
【００１１】
本発明によれば、装置を大型化することなく効率的に光源を冷却することができる光源装置を提供することができる。
【図面の簡単な説明】
【００１２】
【図１】本発明の実施形態に係る光源装置を備えた投射型表示装置の構成図
【図２】青色ＬＥＤと放熱部材を説明する斜視図
【図３】赤色ＬＥＤと放熱部材を説明する斜視図
【図４】緑色ＬＥＤと放熱部材を説明する斜視図
【図５】３色のＬＥＤと放熱部材を組み付けた状態での冷却機構を示す斜視図
【図６】冷却機構の側面図
【発明を実施するための形態】
【００１３】
（実施形態）
以下、本発明の実施形態について、添付図面を参照して詳細に説明する。ただし、以下の実施形態に記載されている構成要素はあくまでも例示であり、本発明の範囲をそれらのみに限定するものではない。
【００１４】
＜投射型表示装置１００の構成＞
図１は本発明の実施形態に係る光源ユニット１を備えた投射型表示装置１００の構成図である。本発明の実施形態に用いられる投射型表示装置１００は、光源ユニット１と、照明部２０と、投影部３０、冷却ファン１５（冷却手段）を備える。光源ユニット１と冷却ファンにより光源装置は構成される。
【００１５】
光源ユニット１は、発光素子から発光された光を合成し出射する。照明部２０は、出射光に基づき投射画像を作成する。投影部３０は、投射画像をスクリーンに投影する。
【００１６】
以下、光源ユニット１及び照明部２０及び投影部３０について詳細に説明する。
【００１７】
＜光源ユニット１の構成＞
図１は本発明の実施形態に係る光源ユニット１を備えた投射型表示装置１００の構成図である。光源ユニット１は、光源である青色ＬＥＤ２Ｂ（第１の光源）、赤色ＬＥＤ２Ｒ（第２の光源）、緑色ＬＥＤ２Ｇ（第３の光源）を備える。光源ユニット１は、略直方体の形状となっている（図５参照）。赤色ＬＥＤ２Ｒ、緑色ＬＥＤ２Ｇ、青色ＬＥＤ２Ｂは、光源を支持する枠体１７（支持体）に支持される。青色ＬＥＤ２Ｂは、枠体１７の一つの面１７ａ（第１の面）に支持され、赤色ＬＥＤ２Ｒは枠体１７の一つの面１７ｂ（第２の面）に支持され、緑色ＬＥＤ２Ｇは枠体１７の一つの面１７ｃ（第３の面）に支持される。各ＬＥＤの外形形状は長手方向２７．０ｍｍ、短手方向１５．５ｍｍ、厚み方向１．５ｍｍである。図１において、紙面に対して手前・奥の方向が長手方向であり、各色ＬＥＤから光が出射される方向が厚み方向である。そして、短手方向及び厚み方向と直交する方向が短手方向である。
【００１８】
赤色ＬＥＤ２Ｒ、緑色ＬＥＤ２Ｇ、青色ＬＥＤ２Ｂの光の出射方向には、光を平行光にするコリメータレンズ３Ｒ、３Ｇ、３Ｂ、４Ｒ、４Ｇ、４Ｂと、光を合成するダイクロイックミラー５Ｂ，５Ｇが配置されている。ダイクロイックミラー５Ｂ、５Ｇは、入射する光の波長によって透過及び反射が入れ替わるミラーである。ダイクロイックミラー５Ｂは、青色波長成分を反射し、赤色波長成分及び緑色波長成分を透過する。ダイクロイックミラー５Ｇは、緑色波長成分を反射し、赤色波長成分及び青色波長成分を透過する。
【００１９】
次に赤色ＬＥＤ２Ｒ、緑色ＬＥＤ２Ｇ、青色ＬＥＤ２Ｂから出射された光線の経路について説明する。
【００２０】
赤色ＬＥＤ２Ｒから出射された光線はコリメータレンズ３Ｒ、４Ｒを通過することで平行光となる。その後、ダイクロイックミラー５Ｇ及びダイクロイックミラー５Ｂではどちらのミラーも赤色波長成分を反射しないためそのまま透過し、光源ユニット１から赤色光が出射される。
【００２１】
青色ＬＥＤ２Ｂから出射された光線はコリメータレンズ３Ｂ、４Ｂを通過することで平行光となる。その後、ダイクロイックミラー５Ｇでは青色波長成分は反射しないため透過し、ダイクロイックミラー５Ｂによって青色波長成分を反射され進行方向を９０度変えられ、光源ユニット１から青色光が出射される。
【００２２】
緑色ＬＥＤ２Ｇから出射された光線はコリメータレンズ３Ｇ、４Ｇを通過することで平行光となる。その後、ダイクロイックミラー５Ｂでは緑色波長成分は反射しないため透過し、ダイクロイックミラー５Ｇによって緑色波長成分のみで反射され進行方向を９０度変えられ、光源ユニット１から緑色光が出射される。
【００２３】
このように、ダイクロイックミラー５Ｇ、５Ｂは赤色光、緑色光、青色光を合成する合成手段として機能する。合成された光は光源ユニット１から出射される。
【００２４】
＜照明部２０及び投影部３０の構成＞
投射型表示装置１００は、光源ユニット１の出射光に基づき映像を表示する手段として、照明部２０と、投影部３０を備える。照明部２０は、集光レンズ６と、ロッドインテグレータ７と、リレーレンズ８と、ＤＭＤ（Ｄｉｇｉｔａｌ  Ｍｉｃｒｏ−ｍｉｒｒｏｒ  Ｄｅｖｉｃｅ）パネル９を備える。投影部３０は、投射レンズ１０を備える。
【００２５】
集光レンズ６は、ダイクロイックミラー５Ｂ、５Ｇで合成された光を集光する。ロッドインテグレータ７は、集光レンズ６で集光された光を受けて内部で全反射を繰り返し、出口での照度分布を均一にする。リレーレンズ８は、ロッドインテグレータ７からの入射光をＤＭＤパネル９に出射する。ＤＭＤパネル９は、入射した光に対して投射したい画像信号に基づいてマイクロミラーの傾きを変化させることで、光を投射側に反射する状態（ＯＮ状態）と光を吸収部材に反射する状態（ＯＦＦ状態）を切り替えて反射を行う。ＯＮ状態とＯＦＦ状態の時間比率によって、投影面に投射される画像の輝度や色味を制御する。
【００２６】
＜光源ユニット１の冷却機構の構成＞
図２〜５を用いて、光源ユニット１の冷却機構について説明する。赤色ＬＥＤ２Ｒ、緑色ＬＥＤ２Ｇ、青色ＬＥＤ２Ｂにはそれぞれ放熱部材１１Ｒ、１１Ｇ、１１Ｂが設けられている。
【００２７】
図２に青色ＬＥＤと放熱部材を説明する斜視図を示す。放熱部材１１Ｂは受熱部１２Ｂ（第１の受熱部）と放熱フィン１３Ｂ（第１の放熱部）で形成されている。放熱フィン１３Ｂの端部１３Ｂ−１において、放熱フィン１３Ｂと受熱部１２Ｂは連結されている。受熱部１２Ｂと放熱フィン１３Ｂは銅製である。青色ＬＥＤ２Ｂの放熱面は放熱部材１１Ｂの受熱部１２Ｂに対して伝熱シート（非図示）を介して接触している。
【００２８】
放熱フィン１３Ｂのサイズは青色ＬＥＤ２Ｂの厚み方向を縦方向、青色ＬＥＤ２Ｂの発光面において短手方向を横方向、青色ＬＥＤ２Ｂの長手方向を高さ方向とすると、６．８ｍｍ（縦）×４０．４ｍｍ（横）×６０．０ｍｍ（高さ）である。フィンの厚みは０．８ｍｍである。
【００２９】
次に熱の伝わり方について説明する。青色ＬＥＤ２Ｂが発光して発熱すると、発生熱は、青色ＬＥＤ２Ｂの放熱面から受熱部１２Ｂ、放熱フィン１３Ｂへと伝わり、放熱フィン１３Ｂから放熱される。
【００３０】
図３に赤色ＬＥＤ２Ｒと放熱部材を説明する斜視図を示す。放熱部材１１Ｒは受熱部１２Ｒ（第２の受熱部）と、ヒートパイプ１４Ｒ（第２の伝熱部）と、放熱フィン１３Ｒ（第２の放熱部）を有している。受熱部１２Ｒ及び放熱フィン１３Ｒは離れて配置されており、ヒートパイプ１４Ｒによって接続されている。放熱フィン１３Ｒを支持する基部１８は、光源ユニット１の天面１７ｄ（第４の面）と対向して所定の間隔を有するように、光源ユニット１の筐体（フレーム）に対して固定されている。
【００３１】
ヒートパイプ１４Ｒは銅製のパイプを真空とし、その中に冷媒となる水を封入して製造される。受熱部１２Ｒ及び放熱フィン１３Ｒは銅製である。
【００３２】
赤色ＬＥＤ２Ｒの放熱面は受熱部１２Ｒと伝熱シート（非図示）を介して接触している。
【００３３】
放熱フィン１３Ｒのサイズは青色ＬＥＤ２Ｂの厚み方向を縦方向、青色ＬＥＤ２Ｂの発光面において短手方向を横方向、青色ＬＥＤ２Ｂの長手方向を高さ方向とすると、４０．２ｍｍ（縦）×４０．４ｍｍ（横）×４９．０ｍｍ（高さ）である。フィンの厚みは０．８ｍｍである。
【００３４】
次に熱の伝わり方について説明する。赤色ＬＥＤ２Ｒが発光して発熱すると、発生熱は、赤色ＬＥＤ２Ｒの放熱面から受熱部１２Ｒ、ヒートパイプ１４Ｒ、放熱フィン１３Ｒへと伝熱され、放熱フィン１３Ｒから放熱される。
【００３５】
図４に緑色ＬＥＤ２Ｇと放熱部材を説明する斜視図を示す。放熱部材１１Ｇは受熱部１２Ｇ（第３の受熱部）と、ヒートパイプ１４Ｇ（第３の伝熱部）と、放熱フィン１３Ｇ（第３の放熱部）を有している。受熱部及び放熱フィン１３Ｇは離れて配置されており、ヒートパイプ１４Ｇによって接続されている。放熱部材１１Ｇは光源ユニットの筐体に対して固定されている。
【００３６】
ヒートパイプ１４Ｇは銅製のパイプを真空とし、その中に冷媒となる水を封入して製造される。受熱部１２Ｇ及び放熱フィン１３Ｇは共に銅製である。
【００３７】
緑色ＬＥＤ２Ｇの放熱面は受熱部１２Ｇと伝熱シート（非図示）を介して接触している。
【００３８】
放熱フィン１３Ｇのサイズは青色ＬＥＤ２Ｂの厚み方向を縦方向、青色ＬＥＤ２Ｂの発光面において短手方向を横方向、青色ＬＥＤ２Ｂの長手方向を高さ方向とすると、５０．０ｍｍ（縦）×４０．４ｍｍ（横）×４９．０ｍｍ（高さ）である。フィンの厚みは０．８ｍｍである。
【００３９】
次に熱の伝わり方について説明する。緑色ＬＥＤ２Ｇが発光して発熱すると、発生熱は、緑色ＬＥＤ２Ｇの放熱面から受熱部１２Ｇ、ヒートパイプ１４Ｇ、放熱フィン１３Ｇへと伝熱され、放熱フィン１３Ｇから放熱される。
【００４０】
図５に３色のＬＥＤと放熱部材を組み付けた状態での冷却機構を示す斜視図を示す。各色の放熱フィン１３Ｂ、１３Ｒ、１３Ｇは、天面１７ｄの側に存在するように、ヒートパイプ等を用いて配置されている。放熱部材１１Ｂの前面に冷却ファン１５が設けられる。冷却ファン１５は軸流ファンでありサイズは縦９２ｍｍ、横９２ｍｍ、厚み２５ｍｍである。冷却ファン１５は、図中のＡ方向へと送風を行う。放熱部材１１Ｒは放熱部材１１Ｂの下流に配置され、放熱部材１１Ｂと放熱部材１１Ｒは冷却ファン１５による送風方向に対して略一直線上に配置されている。
【００４１】
また放熱部材１１Ｇは放熱部材１１Ｒの下流に配置され、放熱部材１１Ｂと放熱部材１１Ｒと放熱部材１１Ｇは冷却ファン１５の送風方向に対して略一直線上に配置されている。放熱フィン１３Ｂ、放熱フィン１３Ｂ、放熱フィン１３Ｒの向きは送風方向と略同一方向となっている。即ち、平板状の放熱フィン１３の面と送風方向が略平行となるようになっている。放熱部材１１Ｂ、放熱部材１１Ｒ、放熱部材１１Ｇ及び冷却ファン１５の周囲はダクト（非図示）で覆われており、ファンの上流から吸気を行い、放熱部材１１Ｂ、放熱部材１１Ｒ、放熱部材１１Ｇの順序で冷却を行った後、排気される。
【００４２】
以上の冷却構成により、冷却ファン１５の送風経路を屈曲させることなく放熱部材１１Ｒ、１１Ｇ、１１Ｂを冷却することが可能となるため、送風経路内での圧力損失を低減させることができる。また放熱部材１１Ｂ、放熱部材１１Ｒ、放熱部材１１Ｇを一直線上に並べて冷却できることからコンパクトな構成で冷却することが可能となる。
【００４３】
＜光源ユニット１の天面１７ｄの冷却＞
ここまで説明してきたように、赤色ＬＥＤ２Ｒ、緑色ＬＥＤ２Ｇ、青色ＬＥＤ２Ｂは放熱面側から放熱部材１１Ｒ、１１Ｇ、１１Ｂを介して積極的に冷却される。しかしながら赤色ＬＥＤ２Ｒ、緑色ＬＥＤ２Ｇ、青色ＬＥＤ２Ｂの発光面側からは積極的に冷却していないため、光源ユニット１内に熱がこもることがある。図６に冷却機構の側面図を示す。冷却ファン１５は、図中矢印Ａ方向（送風方向）に送風を行う。放熱フィン１３Ｒと光源ユニット１の天面１７ｄの間には空間を有しており、放熱フィン１３Ｂを通過した冷却風は放熱フィン１３Ｒを冷却すると同時に、天面１７ｄも冷却することができる。
【００４４】
放熱フィン１３Ｒと光源ユニット１の天面１７ｄの間の空間に冷却風が到達するように、放熱フィン１３Ｂの端部１３Ｂ−１は、天面１７ｄよりも受熱部１２Ｂに近い側に位置するようにしている。光源ユニット１の内部の熱は天面１７ｄに伝熱し、冷却風によって冷却される。天面１７ｄを通過した冷却風は放熱フィン１３Ｇの下方または放熱フィン１３Ｇ内を通過して排気される。放熱フィン１３Ｇの下方に冷却風が抜けられるように、放熱フィン１３Ｇと受熱部１２Ｇとの間には隙間が設けられている（図４参照）。この様な構成により光源ユニット１の内部の冷却を行うことができる。なお、冷却ファン１５の冷却風は放熱フィン１３Ｂだけではなく、受熱部１２Ｂにも当たる位置に配置して、受熱部１２Ｂの一部を直接冷却する構成としても良い。
【００４５】
＜光源ユニットの冷却順序＞
本実施の形態で使用している赤色ＬＥＤ２Ｒはフォワード電圧３．３Ｖ、電流ピーク値１２Ａであり、緑色ＬＥＤ２Ｇはフォワード電圧３．５５Ｖ、電流ピーク値１２Ａであり、青色ＬＥＤ２Ｂはフォワード電圧３．５５Ｖ、電流ピーク値１２Ａである。１チップＤＭＤ方式を採用しており、フィールドシーケンシャル方式によって３色のＬＥＤのバックライトの時間をずらして順次点灯させている。
【００４６】
各色の点灯デューチィはそれぞれ、赤色ＬＥＤ２Ｒは２７％、緑色ＬＥＤ２Ｇは６０％、青色ＬＥＤ２Ｂは１３％で使用される。従って赤色ＬＥＤ２Ｒの消費電力Ｗｒ、緑色ＬＥＤ２Ｇの消費電量Ｗｇ、青色ＬＥＤ２Ｂの消費電力Ｗｂはそれぞれ下記のようになる。
【００４７】
赤色ＬＥＤ２Ｒの消費電力Ｗｒ＝３．３×１２×０．２７＝１０．７［Ｗ］
緑色ＬＥＤ２Ｇの消費電量Ｗｇ＝３．５５×１２×０．６０＝２５．６［Ｗ］
青色ＬＥＤ２Ｂの消費電力Ｗｂ＝３．５５×１２×０．１３＝５．５［Ｗ］
一方で赤色ＬＥＤ２Ｒの発光効率は２４％、緑色ＬＥＤ２Ｇの発光効率は１３％、青色ＬＥＤ２Ｂの発光効率は１８％であることから、赤色ＬＥＤ２Ｒの発熱量Ｑｒ、緑色ＬＥＤ２Ｇの発熱量Ｑｇ、青色ＬＥＤ２Ｂの発熱量Ｑｂはそれぞれ下記のようになる。
【００４８】
赤色ＬＥＤ２Ｒの発熱量Ｑｒ＝１０．７×（１−０．２４）＝８．１［Ｗ］
緑色ＬＥＤ２Ｇの発熱量Ｑｇ＝２５．６×（１−０．１３）＝２２．３［Ｗ］
青色ＬＥＤ２Ｂの発熱量Ｑｂ＝５．５×（１−０．１８）＝４．５［Ｗ］
以上の結果より、ＬＥＤの発熱量は大きい順序に緑色ＬＥＤ２Ｇの発熱量Ｑｇ、赤色ＬＥＤ２Ｒの発熱量Ｑｒ、青色ＬＥＤ２Ｂの発熱量Ｑｂとなる。本実施形態では、冷却ファン１５によるＬＥＤの冷却順序を青色ＬＥＤ２Ｂ、赤色ＬＥＤ２Ｒ、緑色ＬＥＤ２Ｇとしている。つまり、発熱量の小さいＬＥＤ２を冷却ファン１５の送風方向の上流に設け、発熱量の大きいＬＥＤ２を冷却ファン１５の送風方向の下流に設けるようにしている。このようにすることで、発熱量の大きい緑色ＬＥＤ２Ｇを通過した後の暖められた冷却風が他の色のＬＥＤの冷却に使用されなくなる。この結果各色ＬＥＤを効率的に冷却できる構成となる。また、冷却ファン１５の送風方向における放熱フィン１３の長さを、
青色用の放熱フィン１３Ｂ＜赤色用の放熱フィン１３Ｒ
＜緑色用の放熱フィン１３Ｇ
としている。送風方向の下流側ほど、冷却風は暖められており、またＬＥＤ２の発熱量も大きいため、冷却フィンの長さを長くすることにより放熱量が多くなるようにしている。このようにすることで、ＬＥＤの冷却を十分にできるようにするとともに、冷却風の風路の全体の距離を短くすることができる。
【００４９】
なお本実施例の説明では赤色ＬＥＤ２Ｒの受熱部１２Ｒから放熱フィン１３Ｒまでの伝熱にヒートパイプ１４Ｒを用いたが、ヒートパイプ１４Ｒを用いずに受熱部１２Ｒから放熱フィン１３Ｒが一体化された部品を用いても良い。同様に緑色ＬＥＤ２Ｇの受熱部から放熱フィンまでの伝熱にヒートパイプ１４Ｇを用いたが、ヒートパイプ１４Ｇを用いずに受熱部１２Ｇから放熱フィン１３Ｇが一体化された放熱フィンを用いても良い。また青色ＬＥＤ２Ｂの受熱部１２Ｂから放熱部への伝熱に一体化された放熱フィン１３Ｂを用いたが、受熱部１２Ｂと放熱フィン１３Ｂの間に伝熱部としてヒートパイプを用いても良い。
【００５０】
なお本実施形態では、青色ＬＥＤ２Ｂ、赤色ＬＥＤ２Ｒ、緑色ＬＥＤ２Ｇの順に発熱量が大きくなる例で説明した。そして、青色ＬＥＤ２Ｂ、赤色ＬＥＤ２Ｒ、緑色ＬＥＤ２Ｇの順に放熱フィン１３を並べ、発熱量が大きいほど放熱フィン１３の大きさを大きくなるようにしたがこれに限られるものではない。ＬＥＤの発熱量が小さい順に、赤色ＬＥＤ、青色ＬＥＤ、緑色ＬＥＤの順であった場合には、この順番に放熱フィン１３を並べてもよく、放熱フィン１３の大きさもこの順番で大きくしていってもよい。また、本実施形態では、３つのＬＥＤに注目して説明をしたがこれに限られるものではない。少なくとも二つの放熱フィン１３との関係に注目してもよい。例えば、赤色ＬＥＤ２Ｒと緑色ＬＥＤ２Ｇに注目してもよい。この場合、赤色ＬＥＤ２Ｒは第２の光源、緑色ＬＥＤ２Ｇは第１の光源、受熱部１２Ｒは第２の受熱部、受熱部１２Ｇは第１の受熱部、放熱フィン１３Ｒは第２の放熱部、放熱フィン１３Ｇは第１の放熱部となる。
【符号の説明】
【００５１】
１  光源ユニット
２Ｒ  赤色ＬＥＤ
２Ｇ  緑色ＬＥＤ
２Ｂ  青色ＬＥＤ
３Ｒ、３Ｇ、３Ｂ、４Ｒ、４Ｇ、４Ｂ  コリメータレンズ
５Ｂ、５Ｇ  ダイクロイックミラー
６  集光レンズ
７  ロッドインテグレータ
８  リレーレンズ
９  ＤＭＤパネル
１０  投射レンズ
１１Ｒ、１１Ｇ、１１Ｂ  放熱部材
１２Ｒ、１２Ｇ  受熱部
１２Ｂ（１４Ｂ）  受熱部（伝熱部）
１３Ｒ、１３Ｇ、１３Ｂ  放熱フィン
１４Ｒ、１４Ｇ  ヒートパイプ（伝熱部）
１５  冷却ファン
１７ｄ  天面
【図１】
2017045002.tif 000003
【図２】
2017045002.tif 000004
【図３】
2017045002.tif 000005
【図４】
2017045002.tif 000006
【図５】
2017045002.tif 000007
【図６】
2017045002.tif 000008